(57)【要約】【課題】本発明は、表示画面全体の表示効果を向上する組み立て型表示装置を提供することを目的とする。【解決手段】本発明の組み立て型表示装置は、１つのスクリーンを備え、前記スクリーンは、複数のディスプレイを組み立てて形成され、隣接する２つのディスプレイが接続する箇所に、フレーム区域が形成され、前記組み立て型表示装置は、透明な導光体を備え、前記導光板は、前記フレーム区域及び前記フレーム区域の両側に位置する前記スクリーンの一部分を覆い、且つ前記フレーム区域と対向する底面及び前記底面と離れている頂面を備え、前記頂面には、複数の突起が設置され、前記フレーム区域の両側に位置する前記スクリーンの一部分から出射された光線は、前記底面を通過して前記導光体に入り、且つ前記頂面の突起を通過して屈折した後、スクリーンの表示範囲における前記フレーム区域に対応する部分に入る。【選択図】図２
2015028633.tif 000002
【特許請求の範囲】
【請求項１】
１つのスクリーンを備え、前記スクリーンは、複数のディスプレイが組み立てられて形成され、隣接する２つのディスプレイが接続する箇所には、フレーム区域が形成されている組み立て型表示装置において、
前記組み立て型表示装置は、透明な導光体を備え、前記導光体は、前記フレーム区域及び前記フレーム区域の両側に位置する前記スクリーンの一部分を覆い、且つ前記フレーム区域と対向する底面及び前記底面と離れている頂面を備え、前記頂面には、複数の突起が設置され、前記フレーム区域の両側に位置する前記スクリーンの一部分から出射された光線は、前記底面を通過して前記導光体に入り、且つ前記頂面の突起を通過して屈折した後、前記スクリーンの表示範囲における前記フレーム区域に対応する部分に入ることを特徴とする組み立て型表示装置。
【請求項２】
前記突起は、前記頂面に連続的に設置されていることを特徴とする請求項１に記載の組み立て型表示装置。
【請求項３】
前記突起は、横断面が二等辺三角形の三角柱体であることを特徴とする請求項２に記載の組み立て型表示装置。
【請求項４】
前記突起の横切断面は、ドーム状であることを特徴とする請求項２に記載の組み立て型表示装置。
【請求項５】
前記導光体は、横切断面がドーム状の柱体であることを特徴とする請求項１または２に記載の組み立て型表示装置。
【請求項６】
前記導光体は、横断面が二等辺三角形の三角柱体であることを特徴とする請求項１または２に記載の組み立て型表示装置。
【請求項７】
前記底面における前記フレーム区域の両側に位置する前記スクリーンの一部分に対応する部分には２つの入光面が形成され、２つの前記入光面は、前記フレーム区域を中心として互いに対称であることを特徴とする請求項１から６のいずれか一項に記載の組み立て型表示装置。
【請求項８】
前記フレーム区域の両側に位置する前記スクリーンの一部分から出射された光線は、屈折した後、前記フレーム区域の中心に向かって偏向していることを特徴とする請求項１から７のいずれか一項に記載の組み立て型表示装置。
【発明の詳細な説明】
【技術分野】
【０００１】
本発明は、表示装置に関し、特に組み立て型表示装置に関するものである。
【背景技術】
【０００２】
従来の組み立て型スクリーンは、複数の独立したディスプレイが機械的な組み立て方法によって組み立てられて形成されている。また、各ディスプレイは、フレームが独立してパッケージされている。しかし、複数のディスプレイを組み立てて１つの大きなスクリーンに形成する際、隣接する２つのディスプレイとの間に一定の幅のフレーム区域が存在するため、表示画面全体の表示効果に影響を与える。
【発明の概要】
【発明が解決しようとする課題】
【０００３】
以上の問題点に鑑みて、本発明は、表示画面全体の表示効果を向上する組み立て型表示装置を提供することを目的とする。
【課題を解決するための手段】
【０００４】
上記の課題を解決するために、本発明の組み立て型表示装置は、１つのスクリーンを備え、前記スクリーンは、複数のディスプレイが組み立てられて形成され、隣接する２つのディスプレイが接続する箇所には、フレーム区域が形成され、前記組み立て型表示装置は、透明な導光体を備え、前記導光板は、前記フレーム区域及び前記フレーム区域の両側に位置する前記スクリーンの一部分を覆い、且つ前記フレーム区域と対向する底面及び前記底面と離れている頂面を備え、前記頂面には、複数の突起が設置され、前記フレーム区域の両側に位置する前記スクリーンの一部分から射出された光線は、前記底面を通過して、前記導光体に入り、且つ前記頂面の突起を通過して屈折した後、スクリーンの表示範囲における前記フレーム区域に対応する部分に入る。
【発明の効果】
【０００５】
本発明の組み立て型表示装置は、フレーム区域を覆う導光体によって、フレーム区域の光線が屈折してフレーム区域に入る。従って、フレーム区域が視角的に減少或いは削除されて、表示画面を見る際の視角的な連続性を満たし、組み立て型表示装置のスクリーンが表示した画面全体の表示効果を向上することができる。
【図面の簡単な説明】
【０００６】
【図１】本発明に係る第一実施形態の組み立て型表示装置の斜視図である。
【図２】図１に示した組み立て型表示装置のＩＩ−ＩＩ線に沿う断面図である。
【図３】図２に示した組み立て型表示装置のＩＩＩ部分の拡大図である。
【図４】本発明に係る第二実施形態の組み立て型表示装置の断面図である。
【図５】本発明に係る第三実施形態の組み立て型表示装置の導光体の頂面部分の断面図である。
【図６】図２に示した組み立て型表示装置の光線の伝播を示す図である。
【発明を実施するための形態】
【０００７】
以下、図面に基づいて、本発明に係る組み立て型表示装置について詳細に説明する。図１に示したように、組み立て型表示装置１００は、複数のディスプレイ１０及び導光体５０を備える。複数のディスプレイ１０の間は、機械的な組み立て方法によって接続されて、１つの大きなスクリーン３０を形成する。導光体５０は、隣接する２つのディスプレイ１０が接続する箇所に設置される。
【０００８】
ディスプレイ１０は、表示部１１及び表示部１１を包囲するフレーム１２を備える。表示部１１は、画像を表示することに用いられる。フレーム１２における隣接する２つのディスプレイ１０が接続する箇所に対応する箇所には、フレーム区域３１が形成されている。ディスプレイ１０は、例えば、液晶ディスプレイ、プラズマディスプレイ、ブラウン管ディスプレイ或いは背面投影型ディスプレイである。
【０００９】
図２及び図３に示したように、導光体５０は、フレーム区域３１及びフレーム区域３１の両側に位置するスクリーン３０の一部分を覆う。導光体５０は、ポリメタクリル酸メチル等の透明な材料から製造される。導光体５０は、横断面がドーム状の柱体であり、矩形状の底面５１及び底面５１の一対の長辺を接続する頂面５２を備える。底面５１は、フレーム区域３１及びフレーム区域３１の両側に位置するスクリーン３０の一部分を覆う。底面５１におけるフレーム区域３１の両側のスクリーン３０の一部分に対応する部分には、２つの入光面５１１が形成されている。２つの入光面５１１は、フレーム区域３１を中心として互いに対称である。底面５１の幅は、フレーム区域３１の幅によって設定される。本実施形態において、底面５１の幅とフレーム区域３１の幅との比率は、３：２である。また、頂面５２には、複数の突起５２１が設けられている。突起５２１は、断面が二等辺三角形の三角柱体である。突起５２１の長さは、導光体５０の長さに等しい。複数の突起５２１は、連続して頂面５２に設置されている。各突起５２１の２つの側面５２１１は共同で、導光体５０の出光面５２２を形成する。導光体５０の最大の厚さは、底面５１の幅によって設定される。本実施形態において、導光体５０の最大の厚さと底面５１の幅との比率は、１：４である。
【００１０】
図４に示したように、第二実施形態の組み立て型表示装置が、第一実施形態の組み立て型表示装置と異なる部分は、導光体５０が、横断面が二等辺三角形の三角柱体である点である。つまり、導光体５０の底面５１は、二等辺三角形の底辺と対応する側面であり、頂面５２は、二等辺三角形における長さが同じ２つの側面である。
【００１１】
図５に示したように、第三実施形態の組み立て型表示装置が、第一実施形態の組み立て型表示装置と異なる部分は、導光体５０の突起５２１が、横断面がドーム状の柱体である点である。全ての突起５２１の円弧面は共同で、導光体５０の出光面５２２を形成する。
【００１２】
図６に示したように、組み立て型表示装置１００が画面を表示する際、スクリーン３０におけるフレーム区域３１に近接する位置から出射された光線Ａが、入光面５１１を通過して導光体５０に入り、突起５２１の側面５２１１によって屈折及び反射した後、屈折光線Ａ１及び反射光線Ａ２が形成される。屈折光線Ａ１は、直接的に出光面５２２から射出される。反射光線Ａ２は、導光体５０内から底面５１で反射し、且つ突起５２１の側面５２１１で屈折した後、屈折光線Ａ３が形成される。屈折光線Ａ３は、出光面５２２から出射される。光線Ａは、導光体５０を通過して屈折及び反射した後、スクリーン３０の表示範囲におけるフレーム区域３１に対応する部分の中心に向かって偏向している。
【００１３】
ユーザが異なる角度からスクリーン３０の画面を見る場合、スクリーン３０におけるフレーム区域３１に近接する箇所で出射された光線は、導光体５０を通過して、屈折及び反射した後、ユーザの目に入る。つまり、ユーザは、光の逆進性によって、フレーム区域３１の両側に位置するスクリーン３０の一部分に表示された画像を見ることができる。従って、フレーム区域３１が視角的に減少或いは削除されて、表示画面を見る際の視角的な連続性を満たし、組み立て型表示装置１００のスクリーン３０が表示する画面全体の表示効果を向上することができる。
【符号の説明】
【００１４】
１００  組み立て型表示装置
１０  ディスプレイ
１１  表示部
１２  フレーム
３０  スクリーン
３１  フレーム区域
５０  導光体
５１  底面
５１１  入光面
５２  頂面
５２１  突起
５２１１  側面
５２２  出光面
Ａ  光線
Ａ１、Ａ３  屈折光線
Ａ２  反射光線
【図１】
2015028633.tif 000003
【図２】
2015028633.tif 000004
【図３】
2015028633.tif 000005
【図４】
2015028633.tif 000006
【図５】
2015028633.tif 000007
【図６】
2015028633.tif 000008